(57)【要約】【課題】燃焼室からコンロ部までの熱伝達を効率よく行うことができ、不慮の事故やトラブルが発生しにくいペレットストーブを提供する。【解決手段】筐体１２と、筐体１２の天面の特定領域に固定されたコンロ板１８と、コンロ板１８の下方に設けられた燃焼室２０とを備える。燃焼室２０内のコンロ板１８の下方で木質ペレットＷを燃焼させ、発生した燃焼ガスＨＧによりコンロ板１８の下面を加熱する燃焼装置２２を備える。コンロ板１８は、加熱用調理器具を載置可能な載置面１８ａを有し、この載置面１８ａの周縁部に、加熱調理器具の煮こぼれが天面の他の領域に流出するのを防止する縁壁１８ｂが立設されている【選択図】図４
0003210124.tif 000002
【実用新案登録請求の範囲】
【請求項１】
筐体と、前記筐体の天面の特定領域に固定されたコンロ板と、前記コンロ板の下に設けられた燃焼室と、前記燃焼室内の前記コンロ板の下方で木質ペレットを燃焼させ、発生した燃焼ガスにより前記コンロ板の下面を加熱する燃焼装置とを備え、
前記コンロ板は、加熱用調理器具を載置可能な載置面を有し、この載置面の周縁部に、前記加熱調理器具の煮こぼれが前記天面の他の領域に流出するのを防止する縁壁が立設されていることを特徴とするペレットストーブ。
【請求項２】
前記コンロ板には、前記加熱調理器具の煮こぼれを前記筐体の側方に流下させるための排出口が設けられている請求項１記載のペレットストーブ。
【考案の詳細な説明】
【技術分野】
【０００１】
本考案は、木質ペレットを燃料とするペレットストーブに関し、特に、やかんや鍋等の加熱用調理器具を使用するためのコンロ部を備えたペレットストーブに関する。
【背景技術】
【０００２】
従来、例えば特許文献１に開示されているように、筐体と、筐体の天面の下方に設けられた熱交換室と、熱交換室により上面や側面を囲まれるように設けられた燃焼室と、燃焼室内で木質ペレットを燃焼させる燃焼装置とを備えた木質ペレット燃焼装置があった。この木質ペレット燃焼装置はコンロ部を備えていないタイプである。
【０００３】
また、特許文献２に開示されているように、様々な調理を可能にするため、ペレットストーブ本体に、湯沸かし部、オーブントースター部及びコンロ部を付設した災害対応型ペレットストーブがあった。コンロ部は、ペレットストーブの筐体の天面（上端面）に開口部を形成し、鉄製のトレイ（天板部）の凹部が開口部内に嵌入される構造になっている。また、トレイには取っ手（取り扱い用具）が設けられ、トレイを天面の開口部から取り外して持ち運び可能になっている。
【先行技術文献】
【特許文献】
【０００４】
【特許文献１】特開２０１３−４４５１３号公報
【特許文献２】実用新案登録第３１９０２６９号公報
【考案の概要】
【考案が解決しようとする課題】
【０００５】
特許文献１の木質ペレット燃焼装置の場合、筐体の天面の下方が熱交換室になっているので、単純に筐体の天面にコンロ部を付設したとしても、コンロ部を燃焼室の熱で加熱することができない。
【０００６】
また、特許文献２の災害対応型ペレットストーブは、燃焼室（ペレット燃焼部）が筐体内の一側面に近い偏った位置に設けられ、筐体の天面の中央部に設けられたコンロ部から離れているので、燃焼室からコンロ部までの熱伝達を効率よく行うことができない。また、使用中にトレイを取り外すと筐体の開口部が開放されるので、調理中の食材や小物を誤って燃焼室内に落としてしまうおそれがある。
【０００７】
本考案は、上記背景技術に鑑みて成されたものであり、燃焼室からコンロ部までの熱伝達を効率よく行うことができ、不慮の事故やトラブルが発生しにくいペレットストーブを提供することを目的とする。
【課題を解決するための手段】
【０００８】
本考案は、筐体と、前記筐体の天面の特定領域に固定されたコンロ板と、前記コンロ板の下に設けられた燃焼室と、前記燃焼室内の前記コンロ板の下方で木質ペレットを燃焼させ、発生した燃焼ガスにより前記コンロ板の下面を加熱する燃焼装置とを備え、前記コンロ板は、加熱用調理器具を載置可能な載置面を有し、この載置面の周縁部に、前記加熱調理器具の煮こぼれが前記天面の他の領域に流出するのを防止する縁壁が立設されているペレットストーブである。
【０００９】
前記コンロ板には、前記加熱調理器具の煮こぼれを前記筐体の側方に流下させるための排出口が設けられていることが好ましい。
【考案の効果】
【００１０】
本考案のペレットストーブによれば、コンロ板の下に燃焼室が設けられ、燃焼装置がコンロ板の下方に配置されているので、木質ペレットの燃焼ガスにより、コンロ板の下面を効率よく加熱することができる。
【００１１】
コンロ板は、使用中に取り外すことができないよう固定されているので、調理中の食材や小物を誤って燃焼室内に落としてしまう心配がない。また、コンロ板の周縁部に所定の煮こぼれ流出防止用の縁壁が設けられているので、加熱用調理器具の煮こぼれが筐体の天面の隙間から内部に流れ込むこともない。したがって、不慮の事故や装置の故障等のトラブルが発生しにくく、安心して使用することができる。
【図面の簡単な説明】
【００１２】
【図１】本考案のペレットストーブの一実施形態を示す正面図（ａ）、右側面図（ｂ）である。
【図２】この実施形態のペレットストーブを示す平面図である。
【図３】この実施形態のペレトストーブの筐体の天面を拡大した斜視図（ａ）、コンロ板の構造を示す斜視図（ｂ）である。
【図４】この実施形態のペレットストーブの内部構造を模式的に表した右側面図である。
【考案を実施するための形態】
【００１３】
以下、本考案のペレットストーブの一実施形態について、図面に基づいて説明する。この実施形態のペレットストーブ１０は、木質ペレットＷを燃料とする室内暖房用のストーブである。木質ペレットＷは、間伐材や製材端材等の木材を破砕してペレット状に圧縮した固形燃料であり、近年、再生可能で地球環境に優しい新しい燃料として注目されている。
【００１４】
ペレットストーブ１０は、図１に示すように、略矩形の筺体１２を有しており、筺体１２の前面上方部に、室内に温風ＨＡを供給する温風吹き出し口１４が設けられ、前面中央部に前扉１５が設けられている。温風吹き出し口１４には複数のルーバー１４ａが取り付けられ、ルーバー１４ａの角度を変化させることによって風向きを調節することができる。また、背面下方部には、屋外に燃焼ガスＨＧを排気するダクト１６が設けられている。
【００１５】
筐体１２の天面は、図２、図３（ａ）に示すように、前面側の約半分の領域に金属製のコンロ板１８が設けられ、背面側の約半分の領域に燃料補給口２０が設けられ、コンロ板１８及び燃料補給口２０を左側と右側から挟むように、筐体１２の一部である天板部１２ａ，１２ｂが設けられている。コンロ板１８は、少なくとも使用中は取り外しができないように固定されている。
【００１６】
コンロ板１８は、図３（ｂ）に示すように、加熱用調理器具が載置可能な略四角形の載置面１８ａを有し、載置面１８ａの周縁部に縁壁１８ｂが立設されている。縁壁１８ｂは、加熱調理器具の煮こぼれが筐体１２の天面の他の領域に流出するのを防止するための壁であり、載置面１８ａの周縁部４辺の中の、天板部１２ａ，１２ｂ及び燃料補給口２０側の３辺に立設されている。周縁部の残りの部分（縁壁１８ｂがない部分）は、加熱調理器具の煮こぼれを筐体１２の前面側に流下させるための排出口１８ｃになっている。
【００１７】
例えば、載置面１８ａの周縁部４辺をすべて縁壁で囲むと、煮こぼれの量が多いとき、煮こぼれが縁壁１８ｂを乗り越えて流出し、筐体１２の天面の隙間から内部に流れ込んでしまう可能性がある。しかしながら、このコンロ板１８の場合は、煮こぼれが排出口１８ｃから排出されて筐体１２の側方（前面側）に流下するので、煮こぼれが縁壁１８ｂを乗り越える心配がない。
【００１８】
筐体１２の内部には、図４に示すように、コンロ板１８の下に燃焼室２０が設けられ、燃焼室２０の中に燃焼装置２２が設けられている。また、燃焼室２２の側方には、ペレットタンク２４が設けられている。木質ペレットＷは、燃料供給口２０からペレットタンク２４に投入される。
【００１９】
燃焼装置２２は、燃焼ポット２２ａと点火装置２２ｂとで構成されている。燃焼ポット２２ａは、コンロ板１３のほぼ真下に設置され、ペレットタンク２４のノズル２４ａから木質ペレットＷが定量供給される。点火装置２２ｂは、ファン２６を駆動して取り込んだ空気をヒータで加熱し、燃焼ポット２２ａ内の木質ペレットＷに吹き付けて燃焼させる。木質ペレットＷから発生した高温の燃焼ガスＨＧは、燃焼室２０内を上昇してコンロ板１３の下面を加熱した後、ファン２６及びダクト１６を通じて屋外に排出される。
【００２０】
さらに、温風吹き出し口１４の側方には、熱交換装置２８が設けられている。熱交換装置２８は、燃焼室２０内の燃焼ポット２２ａの上方を横切るように配置された管状の熱交換室２８ａを有し、図示しないファンを駆動して室内の空気を熱交換室２８ａ内に取り込み、取り込んだ空気に燃焼ガスＨＧの熱エネルギーを吸収させ、温風ＨＡとして温風吹き出し口１４に向けて送る。
【００２１】
このペレットストーブ１０によれば、コンロ板１８の下に燃焼室２０が設けられ、燃焼ポット２２ａがコンロ板１８のほぼ真下に配置されているので、燃焼ポッド２２ａで発生した高温の燃焼ガスＨＧにより、コンロ板１８の下面を効率よく加熱することができる。
【００２２】
コンロ板１８は、使用中に取り外すことができないように固定されているので、調理中の食材や小物を誤って燃焼室２０内に落としてしまう心配がない。また、コンロ板１８の周縁部に煮こぼれ流出防止用の縁壁１８ａが設けられているので、加熱用調理器具の煮こぼれが筐体１２の天面の隙間から内部に流れ込むこともない。したがって、不慮の事故や装置の故障等のトラブルが発生しにくく、安心して使用することができる。
【００２３】
なお、本考案のペレットストーブは、上記実施形態に限定されるものではない。例えば、上記ペレットストーブ１０は、コンロ板１８、燃焼室２０及び燃焼ポット２２ａが筐体１２の前面側に配置されているが、他の位置（中央、側面側又は背面側）に変更することができる。ただ、コンロ板を中央に配置する場合は、煮こぼれを筐体の側方（前面側、側面側又は背面側）に流下させるための排出口を設けることができないので、載置面の周縁部を取り囲むように、十分な高さの縁壁を設けるようにするとよい。また、コンロ板の載置面の形状は、四角形以外の形状にしてもよい。
【００２４】
その他、図４に示す温風吹き出し口１４、ダクト１６、燃料補給口２０、ペレットタンク２４及び熱交換装置２８の配置は一例であり、適宜変更することができる。例えば、筐体の天面にダクト１６を配置し、燃料補強口を筐体の背面又は側面に配置してもよい。また、特許文献１の木質ペレット燃焼装置のように、温風吹き出し口を、筐体の前面下側に配置してもよい。
【符号の説明】
【００２５】
１０  ペレットストーブ
１２  筐体
１８  コンロ板
１８ａ  載置面
１８ｂ  縁壁
１８ｃ  排出口
２０  燃焼室
２２  燃焼装置
Ｗ  木質ペレット
ＨＧ  燃焼ガス
【図１】
0003210124.tif 000003
【図２】
0003210124.tif 000004
【図３】
0003210124.tif 000005
【図４】
0003210124.tif 000006